(57)【要約】【課題】偽造を抑えることを可能とした個人認証媒体を提供する。【解決手段】個人認証媒体１０は、画像表示層１１と、表面回折部１２と、裏面回折部１３とを備える。画像表示層１１に対して表面回折部１２が位置する側が個人認証媒体１０の観察側であり、観察側から個人認証媒体１０が観察されたとき、表面回折部１２は、表示部１１ａと裏面回折格子とに重なる部位にて透過性を有し、画像表示層１１のなかで表示部１１ａ以外の部分は、裏面回折格子と重なる部位にて透過性を有している。第１画像要素ＰＩＣ１、第２画像要素ＰＩＣ２、および、第３画像要素ＰＩＣ３が、個人認証媒体１０の所有者を特定するための情報を含む１つの特定用画像を形成する。【選択図】図５
2018176593.tif 000002
【特許請求の範囲】
【請求項１】
第１画像要素を表示する表示部を含み、かつ、表面と裏面とを含む画像表示層と、
前記画像表示層の厚さ方向において前記表示部と重なるように前記表面に位置するとともに、反射光として回折光を射出して、この回折光によって第２画像要素を形成する表面回折格子を含む表面回折部と、
前記表面回折部と裏面回折部との間に前記表示部を挟み、かつ、前記表示部よりも外側に広がるように前記裏面に位置する前記裏面回折部であって、前記表示部に重なる領域と前記表示部に重ならない領域とを備えるとともに、反射光として回折光を射出して、この回折光によって第３画像要素を形成する裏面回折格子を含む前記裏面回折部と、を備え、
前記画像表示層の厚さ方向において、前記表面回折部は、前記表示部と前記裏面回折格子とに重なる部位にて透過性を有し、前記画像表示層のなかで前記表示部以外の部分は、前記裏面回折格子と重なる部位にて透過性を有し、
前記画像表示層に対して前記表面回折部が位置する側が個人認証媒体の観察側であり、
前記観察側から前記個人認証媒体が観察されたとき、前記第１画像要素、前記第２画像要素、および、前記第３画像要素が、前記個人認証媒体の所有者を特定するための情報を含む１つの特定用画像を形成する
個人認証媒体。
【請求項２】
前記画像表示層は、レーザー光線の照射によって発色する特性を有し、
前記表示部は、前記レーザー光線の照射によって前記画像表示層において発色した部分であり、
前記第１画像要素は、前記所有者の顔画像を含む
請求項１に記載の個人認証媒体。
【請求項３】
前記表面のなかで前記表面回折部が位置する部位とは異なる部位に位置し、少なくとも１つの文字を含む表面画像部と、
前記裏面のなかで前記裏面回折部が位置する部位とは異なる部位であり、かつ、前記画像表示層の厚さ方向において前記表面画像部とは重ならない部位に位置し、少なくとも１つの文字を含む裏面画像部と、をさらに備え、
前記観察側から前記個人認証媒体が観察されたとき、前記表面画像部と前記裏面画像部とが、前記所有者を特定するための情報を含む１つの特定用文字列に含まれる
請求項１に記載の個人認証媒体。
【請求項４】
前記表示部は第１表示部であり、
前記画像表示層は、レーザー光線の照射によって発色する特性を有するとともに、前記レーザー光線の照射によって前記画像表示層にて発色した部分であり、かつ、前記画像表示層の厚さ方向において、前記表面画像部と前記裏面画像部との両方に重ならず、かつ、少なくとも１つの文字を含む第２表示部をさらに含み、
前記表面画像部と前記裏面画像部とはインキによって形成され、
前記観察側から前記個人認証媒体が観察されたとき、前記表面画像部、前記裏面画像部、および、前記第２表示部が、前記特定用文字列に含まれる
請求項３に記載の個人認証媒体。
【請求項５】
前記表面のなかで前記表面回折部が位置する部位とは異なる部位に位置し、前記所有者を特定するための情報に含まれる１つの特定用文字の一部である表面要素を含む表面画像部と、
前記裏面のなかで前記裏面回折部が位置する部位とは異なる部位であり、かつ、前記画像表示層の厚さ方向において前記表面画像部とは重ならない部位に位置し、前記特定用文字の他の一部である裏面要素を含む裏面画像部と、をさらに備え、
前記観察側から前記個人認証媒体が観察されたとき、前記表面要素と前記裏面要素とが、前記特定用文字を形成する
請求項１に記載の個人認証媒体。
【請求項６】
前記特定用文字のなかで、前記表面要素と前記裏面要素とは、前記観察側から前記個人認証媒体が観察されたときに互いに連なる部位である
請求項５に記載の個人認証媒体。
【請求項７】
前記表面回折部は、前記表面回折格子を含み、透過性を有する透過部と、前記表面と対向する平面視において前記表面回折格子の外側に位置して前記表面回折部の縁を構成し、かつ、前記表面回折部の下層によって形成される画像を隠蔽する隠蔽部と、を含み、
前記裏面回折格子は、前記第３画像要素を内部に含み、前記第３画像要素の基となる基本画像であって、前記表面と対向する平面視において、前記透過部からはみ出し、かつ、前記縁以下の大きさを有した前記基本画像を形成する
請求項１から６のいずれか一項に記載の個人認証媒体。
【発明の詳細な説明】
【技術分野】
【０００１】
本発明は、特定の個人を認証するための個人認証媒体に関する。
【背景技術】
【０００２】
カードやパスポートなどの個人認証媒体として、レーザー発色層と、レーザー発色層の上方に位置するホログラム層とを備える個人認証媒体が知られている。レーザー発色層は、特定の波長を有したレーザー光線を吸収することによって、黒色に変色する特性を有している。レーザー発色層には、特定の個人に属する情報として、例えば、個人の顔画像などが書き込まれている。ホログラム層は、ホログラム層の有する屈折率の変化や凹凸構造によって、所定の色を有した像を表示するように構成されている（例えば、特許文献１参照）。
【先行技術文献】
【特許文献】
【０００３】
【特許文献１】国際公開第２０１２／０５０２２３号
【発明の概要】
【発明が解決しようとする課題】
【０００４】
上述した個人認証媒体では、レーザー発色層の上方に位置するホログラム層によって個人認証媒体の偽造を抑える効果が高められてはいるが、偽造を抑える効果がより高められた個人認証媒体が求められている。
【０００５】
なお、こうした課題は、個人に属する情報がレーザー発色層に書き込まれた個人認証媒体に限らず、個人に属する情報が、レーザー発色層以外の層に例えばインキやトナーによって書き込まれた個人認証媒体においても共通している。
本発明は、偽造を抑えることを可能とした個人認証媒体を提供することを目的とする。
【課題を解決するための手段】
【０００６】
上記課題を解決するための個人認証媒体は、第１画像要素を表示する表示部を含み、かつ、表面と裏面とを含む画像表示層と、前記画像表示層の厚さ方向において前記表示部と重なるように前記表面に位置するとともに、反射光として回折光を射出して、この回折光によって第２画像要素を形成する表面回折格子を含む表面回折部と、前記表面回折部と裏面回折部との間に前記表示部を挟み、かつ、前記表示部よりも外側に広がるように前記裏面に位置する前記裏面回折部であって、前記表示部に重なる領域と前記表示部に重ならない領域とを備えるとともに、反射光として回折光を射出して、この回折光によって第３画像要素を形成する裏面回折格子を含む前記裏面回折部と、を備える。前記画像表示層の厚さ方向において、前記表面回折部は、前記表示部と前記裏面回折格子とに重なる部位にて透過性を有し、前記画像表示層のなかで前記表示部以外の部分は、前記裏面回折格子と重なる部位にて透過性を有し、前記画像表示層に対して前記表面回折部が位置する側が個人認証媒体の観察側であり、前記観察側から前記個人認証媒体が観察されたとき、前記第１画像要素、前記第２画像要素、および、前記第３画像要素が、前記個人認証媒体の所有者を特定するための情報を含む１つの特定用画像を形成する。
【０００７】
個人認証媒体が、画像表示層の表面に位置する表面回折部を備える構成では、表面回折部を真正の画像表示層から剥がし、偽の画像表示層に貼り付けることによって個人認証媒体が偽造される。さらには、画像表示層に表面回折部を位置させた状態で、画像表示層に対して表面回折部とは反対側から、画像表示層のなかで表示部が形成された部位のみを取り除き、かつ、この取り除いた部位に偽の表示部を埋め込むことによって、個人認証媒体が偽造されることもある。
【０００８】
この点で、上記構成では、画像表示層の表面および裏面にそれぞれ回折部が位置するため、画像表示層のうち、表示部が形成された部位のみを取り除くことが難しい。さらには、第１画像要素、第２画像要素、および、第３画像要素が１つの特定用画像を形成するため、偽の画像表示層に対する表面回折部および裏面回折部の位置を合わせなければ、偽の個人認証媒体によって、真正の個人認証媒体が表示する特定用画像と同じ画像を表示させることが難しい。それゆえに、こうした個人認証媒体によれば、個人認証媒体の偽造を抑えることができる。
【０００９】
上記個人認証媒体において、前記画像表示層は、レーザー光線の照射によって発色する特性を有し、前記表示部は、前記レーザー光線の照射によって前記画像表示層において発色した部分であり、前記第１画像要素は、前記所有者の顔画像を含むことが好ましい。
【００１０】
上記構成によれば、画像表示層の厚さ方向において、顔画像が一対の回折部によって挟まれるため、個人認証媒体の有する顔画像を他の顔画像にすり替えることが難しい。それゆえに、個人認証媒体の偽造を抑えることができる。
【００１１】
上記個人認証媒体において、前記表面のなかで前記表面回折部が位置する部位とは異なる部位に位置し、少なくとも１つの文字を含む表面画像部と、前記裏面のなかで前記裏面回折部が位置する部位とは異なる部位であり、かつ、前記画像表示層の厚さ方向において前記表面画像部とは重ならない部位に位置し、少なくとも１つの文字を含む裏面画像部と、をさらに備え、前記観察側から前記個人認証媒体が観察されたとき、前記表面画像部と前記裏面画像部とが、前記所有者を特定するための情報を含む１つの特定用文字列に含まれることが好ましい。
【００１２】
上記構成によれば、偽の特定用文字列を真正の特定用文字列に似せて形成するためには、表面と対向する平面視において特定用文字列を形成する各文字の位置を合わせるだけでなく、画像表示層の厚さ方向においても各文字の位置を合わせる必要がある。それゆえに、特定用文字列を形成する全ての文字が同一の面上に位置する構成よりも、特定用文字列の偽造が難しく、ひいては、個人認証媒体の偽造を抑えることができる。
【００１３】
上記個人認証媒体において、前記表示部は第１表示部であり、前記画像表示層は、レーザー光線の照射によって発色する特性を有するとともに、前記レーザー光線の照射によって前記画像表示層にて発色した部分であり、かつ、前記画像表示層の厚さ方向において、前記表面画像部と前記裏面画像部との両方に重ならず、かつ、少なくとも１つの文字を含む第２表示部をさらに含み、前記表面画像部と前記裏面画像部とはインキによって形成され、前記観察側から前記個人認証媒体が観察されたとき、前記表面画像部、前記裏面画像部、および、前記第２表示部が、前記特定用文字列に含まれてもよい。
【００１４】
上記構成によれば、１つの特定用文字列が、互いに異なる形成材料によって形成された文字を含むため、個人認証媒体が有する特定用文字列を偽造するためには、特定用文字列に互いに異なる形成材料によって形成された文字を含めることが必要である。それゆえに、特定文字列が単一の形成材料によって形成される構成と比べて、特定用文字列の偽造に工数や時間が掛かる分だけ、個人認証媒体の偽造を抑えることができる。
【００１５】
上記個人認証媒体において、前記表面のなかで前記表面回折部が位置する部位とは異なる部位に位置し、前記所有者を特定するための情報に含まれる１つの特定用文字の一部である表面要素を含む表面画像部と、前記裏面のなかで前記裏面回折部が位置する部位とは異なる部位であり、かつ、前記画像表示層の厚さ方向において前記表面画像部とは重ならない部位に位置し、前記特定用文字の他の一部である裏面要素を含む裏面画像部と、をさらに備え、前記観察側から前記個人認証媒体が観察されたとき、前記表面要素と前記裏面要素とが、前記特定用文字を形成してもよい。
【００１６】
上記構成によれば、偽の特定用文字を真正の特定用文字に似せて形成するためには、表面と対向する平面視において表面要素と裏面要素との位置を合わせるだけでなく、画像表示層の厚さ方向においても各要素の位置を合わせる必要がある。それゆえに、特定用文字を形成する全ての要素が同一の面上に位置する構成よりも、特定用文字の偽造が難しく、ひいては、個人認証媒体の偽造を抑えることができる。
【００１７】
上記個人認証媒体において、前記特定用文字のなかで、前記表面要素と前記裏面要素とは、前記観察側から前記個人認証媒体が観察されたときに互いに連なる部位であってもよい。
【００１８】
上記構成によれば、表面と対向する平面視において、表面要素の位置に対する裏面要素の位置の精度が高くなければ、表面要素と裏面要素との間に隙間が形成されたり、裏面要素の一部が表面要素の一部に重なることで、特定用文字の形状が所望とする形状からずれたりする。そのため、特定用文字が有する形状によって、特定用文字が偽造された文字であるか否かを判別することができる。
【００１９】
上記個人認証媒体において、前記表面回折部は、前記表面回折格子を含み、透過性を有する透過部と、前記表面と対向する平面視において前記表面回折格子の外側に位置して前記表面回折部の縁を構成し、かつ、前記表面回折部の下層によって形成される画像を隠蔽する隠蔽部と、を含み、前記裏面回折格子は、前記第３画像要素を内部に含み、前記第３画像要素の基となる基本画像であって、前記表面と対向する平面視において、前記透過部からはみ出し、かつ、前記縁以下の大きさを有した前記基本画像を形成してもよい。
【００２０】
上記構成によれば、個人認証媒体の観察者には、裏面回折格子が形成する基本画像の一部である第３画像要素のみが視認される。そのため、個人認証媒体が偽造された場合には、観察時に視認が可能な第３画像要素のみを形成する回折格子のみが偽造される可能性が高い。それゆえに、個人認証媒体の表面と対向する平面視において、裏面回折部が第３画像要素よりも大きい基本画像を形成することが可能な構成であるか否かによって、真正の個人認証媒体であるか否かを判別することが可能にもなる。
【発明の効果】
【００２１】
本発明によれば、個人認証媒体の偽造を抑えることができる。
【図面の簡単な説明】
【００２２】
【図１】個人認証媒体を具体化した一実施形態における個人認証媒体の表面と対向する平面視における平面構造を示す平面図。
【図２】図１のＩ−Ｉ線に沿う個人認証媒体の断面構造を示す断面図。
【図３】個人認証媒体の一部断面構造を拡大して示す部分拡大断面図。
【図４】個人認証媒体の一部断面構造を拡大して示す部分拡大断面図。
【図５】個人認証媒体を複数の層に分解して示す分解斜視図。
【図６】個人認証媒体が備える表面回折部を形成するために用いられる転写箔の断面構造を示す断面図。
【図７】個人認証媒体の製造方法において画像表示層に表面回折部と裏面回折部とを転写する工程を示す工程図。
【図８】各層に印刷する工程を示す工程図。
【図９】画像表示層にレーザー光線を照射する工程を示す工程図。
【図１０】個人認証媒体の変形例における断面構造を示す断面図。
【図１１】個人認証媒体の変形例において個人認証媒体を複数の層に分解して示す分解斜視図。
【発明を実施するための形態】
【００２３】
図１から図９を参照して、個人認証媒体を具体化した一実施形態を説明する。以下では、個人認証媒体の構成、個人認証媒体の製造方法、個人認証媒体を構成する各部の形成材料、および、実施例を順に説明する。
【００２４】
［個人認証媒体の構成］
図１から図５を参照して、個人認証媒体の構成を説明する。
図１が示すように、個人認証媒体１０は板状を有し、個人認証媒体１０を構成する面の１つとして表面１０Ｆを含んでいる。表面１０Ｆと対向する平面視において、個人認証媒体１０は特定用画像ＰＩＣを表示し、特定用画像ＰＩＣは、第１画像要素ＰＩＣ１、第２画像要素ＰＩＣ２、および、第３画像要素ＰＩＣ３から構成されている。すなわち、第１画像要素ＰＩＣ１、第２画像要素ＰＩＣ２、および、第３画像要素ＰＩＣ３は、個人認証媒体１０の所有者を特定するための情報を含む１つの特定用画像ＰＩＣを形成している。
【００２５】
表面１０Ｆと対向する平面視において、個人認証媒体１０は、第１文字列ＣＨＡ１、第２文字列ＣＨＡ２、第３文字列ＣＨＡ３、第４文字列ＣＨＡ４、および、第５文字列ＣＨＡ５を表示する。５つの文字列には、個人認証媒体１０の所有者を特定するための情報を含む特定用文字列が含まれている。５つの文字列のうち、第１文字列ＣＨＡ１、第２文字列ＣＨＡ２、および、第３文字列ＣＨＡ３がそれぞれ特定用文字列の一例である。第１文字列ＣＨＡ１は、個人認証媒体１０の所有者に固有の個人番号を特定用の情報として含み、第２文字列ＣＨＡ２は所有者の氏名を特定用の情報として含み、第３文字列ＣＨＡ３は所有者の国籍を特定用の情報として含んでいる。
【００２６】
なお、個人番号、氏名、および、国籍は、特定用文字列が含む情報の一例であり、特定用文字列が含む情報は、例えば、所有者の生年月日、所有者の性別、および、所有者の署名などであってもよい。また、特定用文字列を構成する文字は、アルファベットおよび数字に限らず、漢字、ひらがな、および、カタカナなどであってもよいし、日本語以外の言語に特有の文字であってもよい。
【００２７】
第４文字列ＣＨＡ４および第５文字列ＣＨＡ５は、特定用文字列以外の文字列であり、第４文字列ＣＨＡ４は、例えば個人認証媒体１０における有効期間の満了日を情報として含み、第５文字列ＣＨＡ５は、個人認証媒体１０の名称を情報として含んでいる。なお、個人認証媒体１０は、特定用文字列以外の文字列として、これら以外の情報を含む文字列を表示するように構成されてもよい。
【００２８】
図２は、図１のＩ−Ｉ線に沿う個人認証媒体１０の断面構造を示している。図２では、図示の便宜上、個人認証媒体１０を構成する各層の厚さ、および、各部の大きさが誇張されている。
【００２９】
図２が示すように、個人認証媒体１０は、画像表示層１１、表面回折部１２、および、裏面回折部１３を備えている。画像表示層１１は、上述した第１画像要素ＰＩＣ１を表示する表示部１１ａを含み、表面１１Ｆと裏面１１Ｒとを含んでいる。表面回折部１２は、画像表示層１１の厚さ方向において、表示部１１ａと重なるように画像表示層１１の表面１１Ｆに位置している。裏面回折部１３は、表面回折部１２と裏面回折部１３との間に表示部１１ａを挟み、かつ、表示部１１ａよりも外側に広がるように画像表示層１１の裏面１１Ｒに位置している。裏面回折部１３は、表示部１１ａに重なる領域と、表示部１１ａに重ならない領域とを備えている。
【００３０】
個人認証媒体１０は、さらに表面画像部２１、および、裏面画像部２２を備えている。表面画像部２１は、画像表示層１１の表面１１Ｆのなかで、表面回折部１２が位置する部位とは異なる部位に位置している。表面画像部２１は、少なくとも１つの文字を含んでいる。裏面画像部２２は、画像表示層１１の裏面１１Ｒのなかで、裏面回折部１３が位置する部位とは異なる部位であり、かつ、画像表示層１１の厚さ方向において表面画像部２１とは重ならない部位に位置している。裏面画像部２２は、少なくとも１つの文字を含んでいる。
【００３１】
画像表示層１１に対して表面回折部１２が位置する側が個人認証媒体１０の観察側である。観察側から個人認証媒体１０が観察されたとき、表面画像部２１と裏面画像部２２とが、所有者を特定するための情報を含む１つの特定用文字列に含まれる。表面画像部２１に含まれる文字、および、裏面画像部２２に含まれる文字の各々は、上述した第３文字列ＣＨＡ３、第４文字列ＣＨＡ４、および、第５文字列ＣＨＡ５のいずれかに含まれる。
【００３２】
個人認証媒体１０は、さらに第１基材１４、第２基材１５、および、第３基材１６を備えている。個人認証媒体１０において、第１基材１４、第２基材１５、画像表示層１１、および、第３基材１６が記載の順に積み重なっている。裏面回折部１３は、第２基材１５と画像表示層１１との間に位置し、表面回折部１２は、画像表示層１１と第３基材１６との間に位置している。
【００３３】
第１基材１４は、第１基材１４上に積み重なる第２基材１５、画像表示層１１、および、第３基材１６を支持することができる程度の機械的な強度を有することが好ましい。第１基材１４は例えば白色などの所定の色を有して光を透過しないが、光を透過してもよい。第１基材１４のうち、第２基材１５と接する面が表面１４Ｆである。
【００３４】
第１基材１４の表面１４Ｆには、基材画像部２３が位置している。基材画像部２３は、表面画像部２１および裏面画像部２２の各々と同様、少なくとも１つの文字を含んでいる。基材画像部２３が含む文字は、特定用文字列のいずれかに含まれる文字であってもよいし、特定用文字列以外の文字列に含まれる文字であってもよい。
【００３５】
第２基材１５は、画像表示層１１の裏面１１Ｒに位置する裏面回折部１３の全体と、裏面画像部２２の全体とを覆っている。第２基材１５は光透過性を有し、個人認証媒体１０の表面１０Ｆと対向する平面視において、基材画像部２３が観察者によって視認されるように第２基材１５は構成されている。
【００３６】
第３基材１６は、画像表示層１１の表面１１Ｆに位置する表面回折部１２の全体と、表面画像部２１の全体とを覆っている。これにより、第３基材１６は、表面回折部１２および表面画像部２１が、化学的あるいは物理的に損傷することを抑える保護層として機能している。第３基材１６は光透過性を有し、個人認証媒体１０の表面１０Ｆと対向する平面視において、表面回折部１２から射出される光、裏面回折部１３から射出される光、表面画像部２１、裏面画像部２２、および、基材画像部２３が観察者によって視認されるように第３基材１６は構成されている。
【００３７】
表面回折部１２は、透過部１２ａと隠蔽部１２ｂとを含み、個人認証媒体１０の表面１０Ｆと対向する平面視において、隠蔽部１２ｂは透過部１２ａの周りを取り囲んでいる。表面回折部１２のより詳しい構成を、図３を参照して以下に説明する。
【００３８】
図３は、図２が示す個人認証媒体１０の断面構造のうち、表面回折部１２の断面構造、裏面回折部１３の断面構造、および、画像表示層１１の断面構造における一部を拡大して示している。
【００３９】
図３が示すように、表面回折部１２は、回折層３１と接着層３２とを備えている。回折層３１は透過部３１ａと隠蔽部３１ｂとを含み、隠蔽部３１ｂが上述した隠蔽部１２ｂを構成している。回折層３１は、反射光として回折光を射出して、この回折光によって上述した第２画像要素ＰＩＣ２を形成する表面回折格子３１ｃを含んでいる。透過部３１ａは表面回折格子３１ｃを含み、透過性を有している。画像表示層１１の表面１１Ｆと対向する平面視において、隠蔽部３１ｂは透過部３１ａの外側に位置して表面回折部１２の縁を構成し、かつ、表面回折部１２の下層によって形成される画像を隠蔽する。
【００４０】
回折層３１において、接着層３２に接する面が裏面３１Ｒであり、表面回折格子３１ｃは、回折層３１の裏面３１Ｒの一部に含まれる凹凸面である。表面回折格子３１ｃは回折層３１の裏面３１Ｒにおける一部のみに位置しているが、裏面３１Ｒの全体に位置してもよい。
【００４１】
表面回折格子３１ｃは、画像表示層１１に対して表面回折部１２が位置する側において、個人認証媒体１０の表面１０Ｆに対する所定の定点に観察者の視点が位置するときに、視点に向けて回折光を射出する。表面回折格子３１ｃにおいて、所定の方向に沿って延びる溝である格子パターンが、格子パターンが延びる方向と直交する方向に沿って所定の間隔で繰り返されている。格子パターンが繰り返される方向は、上述した定点に回折光を射出する方向に設定されている。
【００４２】
単位長さ当たりの溝の本数が、表面回折格子３１ｃの空間周波数である。表面回折格子３１ｃの全体において空間周波数が一定であってもよいし、表面回折格子３１ｃは、空間周波数が互いに異なる複数の部分を含んでもよい。
【００４３】
画像表示層１１の表面１１Ｆと対向する平面視において、隠蔽部３１ｂは透過部３１ａの周りを取り囲んでいる。隠蔽部３１ｂは、隠蔽部３１ｂよりも下層、すなわち、画像表示層１１、裏面回折部１３、第２基材１５、および、第１基材１４の各々が形成する画像を隠蔽する。隠蔽部３１ｂは所定の色を有することによって、隠蔽部３１ｂの下層によって形成された画像を隠蔽してもよいし、隠蔽部３１ｂに入射した光のほとんどを反射することによって、隠蔽部３１ｂの下層によって形成された画像を隠蔽してもよい。また、隠蔽部３１ｂは、隠蔽部３１ｂに入射する光を散乱させることによって、隠蔽部３１ｂの下層によって形成された画像を隠蔽してもよい。
【００４４】
接着層３２は回折層３１を画像表示層１１に接着させる機能を有し、かつ、光透過性を有している。表面回折部１２において、回折層３１の透過部３１ａと接着層３２とが、表面回折部１２における透過部１２ａの一例を構成している。
【００４５】
裏面回折部１３は、回折層４１と接着層４２とを備えている。回折層４１は裏面回折格子４１ａを含み、裏面回折格子４１ａは、反射光として回折光を射出して、この回折光によって上述した第３画像要素ＰＩＣ３を形成する。回折層４１において、接着層４２に接する面が裏面４１Ｒである。裏面回折格子４１ａは、回折層４１の裏面４１Ｒにおける全体に位置し、言い換えれば、裏面４１Ｒの全体が凹凸面である。なお、裏面回折格子４１ａは裏面４１Ｒの全体に位置しているが、裏面４１Ｒの一部のみに位置してもよい。
【００４６】
また、裏面回折格子４１ａは、第３画像要素ＰＩＣ３を内部に含み、第３画像要素ＰＩＣ３の基となる基本画像を形成する。画像表示層１１の表面１１Ｆと対向する平面視において、基本画像は、表面回折部１２の透過部１２ａからはみ出し、かつ、表面回折部１２の縁以下の大きさを有している。画像表示層１１の表面１１Ｆと対向する平面視において、裏面回折部１３は表面回折部１２とほぼ同じ大きさを有し、かつ、裏面回折部１３の全体が表面回折部１２に重なっている。そのため、画像表示層１１の表面１１Ｆと対向する平面視において、裏面回折格子４１ａが形成する基本画像のなかで、表面回折部１２における回折層３１の透過部３１ａからはみ出す部分が、隠蔽部３１ｂによって隠蔽される。
【００４７】
裏面回折格子４１ａは、上述した定点に観察者の視点が位置するときに、視点に向けて回折光を射出する。裏面回折格子４１ａにおいて、所定の方向に沿って延びる溝である格子パターンが、格子パターンが延びる方向と直交する方向に沿って所定の間隔で繰り返されている。格子パターンが繰り返される方向は、上述した定点に回折光を射出する方向に設定されている。
【００４８】
裏面回折格子４１ａでは、裏面回折格子４１ａの全体において空間周波数が一定であってもよいし、裏面回折格子４１ａは、空間周波数が互いに異なる複数の部分を含んでもよい。
【００４９】
画像表示層１１は、レーザー光線の照射によって発色する特性を有している。表示部１１ａは、レーザー光線の照射によって画像表示層１１にて発色した部分である。発色部は例えば黒色を有しているが、黒色以外の色を有してもよい。表示部１１ａは複数の発色部から構成され、各発色部は、画像表示層１１の表面１１Ｆに露出し、かつ、画像表示層１１の厚さ方向において、画像表示層１１の裏面１１Ｒよりも表面１１Ｆ寄りの位置まで延びている。なお、各発色部は、画像表示層１１の裏面１１Ｒに露出し、かつ、画像表示層１１の厚さ方向において、画像表示層１１の表面１１Ｆよりも裏面１１Ｒ寄りの位置まで延びていてもよいし、表面１１Ｆと裏面１１Ｒとの両方に露出するように、画像表示層１１の厚さ方向の全体に位置してもよい。
【００５０】
観察側から個人認証媒体１０が観察されたとき、表面回折部１２は、表示部１１ａと裏面回折格子４１ａとに重なる部位にて透過性を有している。より詳しくは、画像表示層１１の表面１１Ｆと対向する平面視において、表面回折部１２の回折層３１における透過部３１ａは、表示部１１ａを取り囲む大きさを有し、透過部３１ａは、個人認証媒体１０において、裏面回折格子４１ａの一部に重なる部位に位置している。また、画像表示層１１のなかで表示部１１ａ以外の部分は、観察側から個人認証媒体１０が観察されたとき、裏面回折格子４１ａと重なる部位にて透過性を有している。より詳しくは、画像表示層１１は、裏面回折格子４１ａと重なる部分の全体において透過性を有しているが、裏面回折格子４１ａと重なる一部において光透過性を有してもよい。
【００５１】
なお、表面回折部１２および裏面回折部１３は、各回折部が有する層間に位置する中間層を有してもよい。また、表面回折部１２が備える回折層３１の裏面３１Ｒのなかで、少なくとも表面回折格子３１ｃが位置する部位には、透明な反射層が位置してもよい。裏面回折部１３が備える回折層４１の裏面回折格子４１ａにも、透明な反射層が位置してもよい。各回折部が透明な反射層を有する構成によれば、各回折光から射出される反射層の輝度を高めることができる。透明な反射層の形成材料には、例えば硫化亜鉛（ＺｎＳ）、および、酸化チタン（ＴｉＯ２）などを用いることができる。
【００５２】
図４は、図２が示す個人認証媒体１０の断面構造のうち、第１基材１４の断面構造、第２基材１５の断面構造、画像表示層１１の断面構造、および、第３基材１６の断面構造における一部を拡大して示している。
【００５３】
図４が示すように、基材画像部２３は、第１基材１４の表面１４Ｆと第２基材１５の裏面１５Ｒとの間に位置している。裏面画像部２２は、第２基材１５の表面１５Ｆと画像表示層１１の裏面１１Ｒとの間に位置している。表面画像部２１は、画像表示層１１の表面１１Ｆと第３基材１６の裏面１６Ｒとの間に位置している。なお、基材画像部２３において、第１基材１４と第２基材１５とのうち、剛性が低い基材に食い込む量が、他の基材に食い込む量よりも大きい。また、表面画像部２１および裏面画像部２２の両方においても同様である。
【００５４】
個人認証媒体１０において、第３基材１６の表面１６Ｆが個人認証媒体１０の表面１０Ｆであり、第１基材１４の裏面１４Ｒが個人認証媒体１０の裏面１０Ｒである。
【００５５】
図５は、個人認証媒体１０を３つの層に分解して示す斜視図である。なお、図５では、図示の便宜上、表面回折部１２および表面画像部２１を第３基材１６とともに１つの層として示し、裏面画像部２２を画像表示層１１とともに１つの層として示し、裏面回折部１３および基材画像部２３を第１基材１４および第２基材１５とともに１つの層として示している。
【００５６】
図５が示すように、画像表示層１１が表示する第１画像要素ＰＩＣ１は、個人認証媒体１０の所有者の顔画像を含んでいる。第１画像要素ＰＩＣ１は、所有者の上半身像であるが、所有者の顔画像のみから構成されてもよい。第１画像要素ＰＩＣ１の全体が、レーザー光線の照射によって発色した部分であり、画像表示層１１のなかで第１画像要素ＰＩＣ１以外の部分よりも透過性が低い部分である。そのため、画像表示層１１の下層である裏面回折部１３が形成する画像のなかで、第１画像要素ＰＩＣ１が重なる部分は、個人認証媒体１０の表面１０Ｆと対向する平面視において視認されない。
【００５７】
なお、第１画像要素ＰＩＣ１は、第１画像要素ＰＩＣ１の輪郭によって囲まれる全体が、レーザー光線の照射によって発色した部分でなくてもよく、少なくとも、第１画像要素ＰＩＣ１の輪郭が、レーザー光線の照射によって発色した部分であればよい。
【００５８】
画像表示層１１の厚さ方向、すなわち個人認証媒体１０の厚さ方向において、顔画像が一対の回折部によって挟まれるため、個人認証媒体１０の有する顔画像を他の顔画像にすり替えることが難しい。それゆえに、個人認証媒体１０の偽造を抑えることができる。
【００５９】
第２画像要素ＰＩＣ２は、表面回折格子３１ｃが反射光として射出した回折光によって形成される画像であり、上述したように、個人認証媒体１０の表面１０Ｆに対する所定の定点に観察者の視点が位置するときに、観察者によって視認される画像である。第２画像要素ＰＩＣ２は、個人認証媒体１０の表面１０Ｆと対向する平面視において、第１画像要素ＰＩＣ１を取り囲む枠状を有した部分と、枠状を有する部分の一部に位置し、所有者の国籍に対応する国旗を示す形状を有した部分とから構成されている。このように、第２画像要素ＰＩＣ２は、個人認証媒体１０の所有者を特定するための特定用画像を含んでもよい。
【００６０】
第１画像要素ＰＩＣ１に加えて第２画像要素ＰＩＣ２も特定用画像を含むことによって、個人認証媒体１０において、第２画像要素ＰＩＣ２の特定用画像が含む情報を改竄しようとした場合には、第２画像要素ＰＩＣ２も改竄する内容に合わせて変更する必要がある。そのため、第２画像要素ＰＩＣ２が含む情報に関わる改竄が難しくなる。
【００６１】
個人認証媒体１０の表面１０Ｆと対向する平面視において、隠蔽部１２ｂは、第２画像要素ＰＩＣ２の周方向における全体を取り囲む枠状を有している。個人認証媒体１０の表面１０Ｆと対向する平面視では、表面回折部１２のなかで、隠蔽部１２ｂよりも内側に位置する部分が透過部１２ａであり、表面回折部１２よりも下層を透過する。
【００６２】
第３画像要素ＰＩＣ３は、第３画像要素ＰＩＣ３の縁から外側に向かって拡がる基本画像ＰＩＣＢに含まれている。基本画像ＰＩＣＢは、裏面回折格子４１ａが反射光として射出した回折光によって形成される画像であり、上述した定点に観察者の視点が位置するときに、観察者によって視認される画像である。基本画像ＰＩＣＢのうち、個人認証媒体１０の表面１０Ｆと対向する平面視において、隠蔽部１２ｂの内側に含まれる部分が第３画像要素ＰＩＣ３である。基本画像ＰＩＣＢは、個人認証媒体１０の表面１０Ｆと対向する平面視において、隠蔽部１２ｂをはみ出ない大きさを有している。
【００６３】
個人認証媒体１０の観察者には、裏面回折格子４１ａが形成する基本画像ＰＩＣＢの一部である第３画像要素ＰＩＣ３のみが視認される。そのため、個人認証媒体１０が偽造される場合には、観察時に視認が可能な第３画像要素ＰＩＣ３のみを形成する回折格子のみが偽造される可能性が高い。それゆえに、個人認証媒体１０の表面１０Ｆと対向する平面視において、裏面回折部１３が第３画像要素ＰＩＣ３よりも大きい基本画像ＰＩＣＢを形成することが可能な構成であるか否かによって、真正の個人認証媒体１０であるか否かを判別することが可能にもなる。
【００６４】
上述したように、個人認証媒体１０では、画像表示層１１の表面１１Ｆおよび裏面１１Ｒにそれぞれ回折部が位置するため、画像表示層１１のうち、表示部１１ａが形成された部位のみを取り除くことが難しい。さらには、第１画像要素ＰＩＣ１、第２画像要素ＰＩＣ２、および、第３画像要素ＰＩＣ３が１つの特定用画像ＰＩＣを形成するため、偽の画像表示層に対する表面回折部１２および裏面回折部１３の位置を合わせなければ、偽の個人認証媒体によって、真正の個人認証媒体１０が表示する特定用画像ＰＩＣと同じ画像を表示させることが難しい。それゆえに、こうした個人認証媒体１０によれば、個人認証媒体１０の偽造を抑えることができる。
【００６５】
第１文字列ＣＨＡ１は複数の第１文字１Ｃから構成され、複数の第１文字１Ｃは「ＭＤＳＳＳ７９０２０８８７」から構成されている。第２文字列ＣＨＡ２は複数の第２文字２Ｃから構成され、複数の第２文字２Ｃは「ＴＡＲＯ  ＳＵＺＵＫＩ」から構成されている。第３文字列ＣＨＡ３は複数の第３文字３Ｃから構成され、複数の第３文字３Ｃは「ＪＡＰＡＮ」から構成されている。第４文字列ＣＨＡ４は複数の第４文字４Ｃから構成され、複数の第４文字４Ｃは「２９  ＡＰＲ  ２０２０」から構成されている。第５文字列ＣＨＡ５は複数の第５文字５Ｃから構成され、複数の第５文字５Ｃは「ＰＡＳＳＰＯＲＴ  ＣＡＲＤ」から構成されている。
【００６６】
各文字列のうち、少なくとも１つの文字が第３基材１６とともに示され、少なくとも１つの文字が画像表示層１１とともに示され、かつ、少なくとも１つの文字が第２基材１５とともに示されている。つまり、各文字列のうち、少なくとも１つの文字が表面画像部２１に含まれ、少なくとも１つの文字が裏面画像部２２に含まれ、かつ、少なくとも１つの文字が基材画像部２３に含まれている。
【００６７】
より具体的には、特定用文字列である第１文字列ＣＨＡ１、第２文字列ＣＨＡ２、および、第３文字列ＣＨＡ３において、互いに隣り合う文字は表面画像部２１、裏面画像部２２、および、基材画像部２３のなかで、互いに異なる画像部に含まれている。そのため、各画像部は文字列が含む情報のうちの一部しか含まず、３つの画像部が互いに積み重ねられて初めて個人認証媒体１０の所有者に固有の情報を含む単一の文字列が形成される。
【００６８】
なお、第１文字列ＣＨＡ１、第２文字列ＣＨＡ２、および、第３文字列ＣＨＡ３の各々を構成する複数の文字では、互いに隣り合う複数の文字が、表面画像部２１、裏面画像部２２、および、基材画像部２３のなかで、互いに同じ画像部に含まれてもよい。また、第１文字列ＣＨＡ１、第２文字列ＣＨＡ２、および、第３文字列ＣＨＡ３の各々を構成する複数の文字は、表面画像部２１および裏面画像部２２のいずれかに含まれていればよく、基材画像部２３には含まれていなくてもよい。
【００６９】
こうした構成によれば、偽の特定用文字列を真正の特定用文字列に似せて形成するためには、画像表示層１１の表面１１Ｆと対向する平面視において特定用文字列を形成する各文字の位置を合わせるだけでなく、個人認証媒体１０の厚さ方向においても各文字の位置を合わせる必要がある。それゆえに、特定用文字列を形成する全ての文字が同一の面上に位置する構成よりも、特定用文字列の偽造が難しく、ひいては、個人認証媒体１０の偽造を抑えることができる。
【００７０】
特定用文字列以外の文字列である第４文字列ＣＨＡ４は、互いに隣り合う複数の文字が、表面画像部２１、裏面画像部２２、および、基材画像部２３のなかで、互いに異なる画像部に含まれる部分と、互いに同じ画像部に含まれる部分とから構成されている。第４文字列ＣＨＡ４は、互いに隣り合う複数の文字が、互いに異なる画像部に含まれる部分のみから構成されてもよいし、互いに同じ画像部に含まれる部分のみから構成されてもよい。
【００７１】
特定用文字列以外の文字列である第５文字列ＣＨＡ５では、上述した特定用文字列と同様、互いに隣り合う文字が、表面画像部２１、裏面画像部２２、および、基材画像部２３のなかで、互いに異なる画像部に含まれている。そのため、各画像部は文字列が含む情報のうちの一部しか含まず、３つの画像部が互いに積み重ねられて初めて所定の情報を含む単一の文字列が形成される。なお、第５文字列ＣＨＡ５を構成する複数の文字では、特定用文字列と同様、互いに隣り合う複数の文字が、表面画像部２１、裏面画像部２２、および、基材画像部２３のなかで、互いに同じ画像部に含まれてもよい。
【００７２】
［個人認証媒体の製造方法］
図６から図９を参照して、個人認証媒体１０の製造方法を説明する。以下では、個人認証媒体１０を製造するための工程を説明する前に、個人認証媒体１０の製造に用いられる転写箔を説明する。なお、個人認証媒体１０の製造には、表面回折部１２を形成するための転写箔と裏面回折部１３を形成するための転写箔とが用いられる。２つの転写箔の間では、各転写箔から被転写体である画像表示層１１に転写される部位の構成は上述したように互いに異なるものの、それ以外の部分は共通している。そのため、以下では、表面回折部１２を形成するための転写箔について詳しく説明し、裏面回折部１３を形成するための転写箔の詳しい説明を省略する。
【００７３】
図６が示すように、転写箔５０は、表面回折部１２を形成するために用いられる転写箔であり、上述した表面回折部１２と表面回折部１２を支持する支持層５１とを備えている。転写箔５０が形成されるときには、まず、支持層５１を準備し、支持層５１は例えば樹脂製のフィルムによって具体化することができる。支持層５１のうち、表面回折部１２が形成される面には、支持層５１から表面回折部１２を剥がれやすくするための処理を施してもよい。
【００７４】
次いで、支持層５１の１つの面に回折層３１を形成する。回折層３１が有する隠蔽部３１ｂが金属膜から形成されるときには、所定の形状を有した金属膜が支持層５１に形成される。隠蔽部３１ｂは、支持層５１の１つの面のほぼ全体を覆う金属膜が形成された後に、金属膜における不要な部分が取り除かれることによって形成されてもよいし、隠蔽部３１ｂの形状に応じたマスクを用いた成膜によって形成されてもよい。
【００７５】
そして、透過部３１ａを形成するための塗膜を支持層５１に形成した後、塗膜のなかで支持層５１に接する面とは反対側の面に表面回折格子３１ｃを形成するための原版を押し当てる。これにより、裏面３１Ｒに表面回折格子３１ｃを有した回折層３１が形成される。次いで、回折層３１のうち、支持層５１に接する面とは反対側の面に、接着層３２を形成する。これにより、転写箔５０を得ることができる。
【００７６】
なお、表面回折部１２が透明な反射層を有するときには、回折層３１の裏面３１Ｒに接着層３２を形成する前に、回折層３１の裏面３１Ｒに透明な反射層を形成すればよい。透明な反射層は、例えば真空蒸着法やスパッタ法などを用いて形成される。
【００７７】
図７が示すように、個人認証媒体１０を製造するときには、まず、画像表示層１１を準備する。画像表示層１１は、例えば樹脂製のフィルムによって具体化することができる。次いで、画像表示層１１の表面１１Ｆに上述した転写箔５０を用いて表面回折部１２を転写し、画像表示層１１の裏面１１Ｒに裏面回折部１３を形成するための転写箔を用いて裏面回折部１３を転写する。なお、表面回折部１２の転写が裏面回折部１３の転写よりも先に行われてもよいし、裏面回折部１３の転写が表面回折部１２の転写よりも先に行われてもよい。
【００７８】
図８が示すように、第１基材１４と第２基材１５とを準備する。第１基材１４および第２基材１５の各々は、例えば樹脂製のフィルムによって具体化することができる。なお、第１基材１４は、樹脂製のフィルム以外に例えば各種の紙によって具体化することも可能である。そして、画像表示層１１の表面１１Ｆに表面画像部２１を形成し、第２基材１５の表面１５Ｆに裏面画像部２２を形成し、第１基材１４の表面１４Ｆに基材画像部２３を形成する。
【００７９】
なお、第３基材１６の裏面１６Ｒに表面画像部２１を形成してもよいし、画像表示層１１の表面１１Ｆに表面画像部２１の一部を形成し、第３基材１６の裏面１６Ｒに表面画像部２１の残りの一部を形成してもよい。また、画像表示層１１の裏面１１Ｒに裏面画像部２２を形成してもよいし、第２基材１５の表面１５Ｆに裏面画像部２２の一部を形成し、画像表示層１１の裏面１１Ｒに裏面画像部２２の残りの一部を形成してもよい。また、第２基材１５の裏面１５Ｒに基材画像部２３を形成してもよいし、第１基材１４の表面１４Ｆに基材画像部２３の一部を形成し、第２基材１５の裏面１５Ｒに基材画像部２３の残りの一部を形成してもよい。
【００８０】
図９が示すように、第３基材１６を準備し、第１基材１４、第２基材１５、画像表示層１１、および、第３基材１６を記載の順に積み重ねた状態で、これらの層が一体化された積層体を形成する。これにより、表面回折部１２と裏面回折部１３とが内部に含まれた積層体を得ることができる。そして、画像表示層１１に対して第３基材１６側から、第３基材１６と表面回折部１２とを介して照射装置６１を用いてレーザー光線ＬＢを照射することによって、画像表示層１１に表示部１１ａを形成する。これにより、図１から図５を参照して先に説明した個人認証媒体１０を得ることができる。
【００８１】
［各部の形成材料］
個人認証媒体１０を構成する各部の形成材料を説明する。
［基材］
第１基材１４、第２基材１５、および、第３基材１６には、樹脂製のフィルムを用いることができる。フィルムを形成する樹脂には、例えば、ＰＥＴ（ポリエチレンテレフタレート）、ＰＥＮ（ポリエチレンナフタレート）、ＰＰ（ポリプロピレン）、ポリ塩化ビニル樹脂（ＰＶＣ）、非晶性ポリエステル樹脂（ＰＥＴ‐Ｇ）、および、ポリカーネート樹脂（ＰＣ）などを用いることができる。このうち、個人認証媒体用のカードやパスポートの基材として従来から用いられるＰＣＶ、ＰＥＴ‐Ｇ、および、ＰＣから形成されたフィルムは、熱や圧力などによって一体化する加工が容易である点で好ましい。
【００８２】
各基材の厚さは、５０μｍ以上４００μｍ以下であることが好ましい。各基材の厚さが５０μｍ以上であることによって、各基材が取り扱いやすくなる程度に各基材の物理的な強度が高まるため、表面画像部２１、裏面画像部２２、および、基材画像部２３を形成するときなどに各基材に皺が生じることが抑えられる。また、各基材の厚さが４００μｍ以下であることによって、個人認証媒体１０を製造するときに、各基材が有する厚さのばらつきや撓みの影響が大きくなることが抑えられる。なお、各基材の厚さは７５μｍ以上１００μｍ以下であることがより好ましい。
【００８３】
［画像表示層］
画像表示層１１には、所定の波長を有したレーザー光線の照射によって発色する特性を有した樹脂製のフィルムを用いることができる。画像表示層１１には、例えば、ポリカーボネート樹脂と、ポリカーボネート樹脂に対して添加されたレーザー光線を吸収するエネルギー吸収体とによって形成されたフィルムを用いることができる。こうしたフィルムには、例えばＳＡＢＩＣ社のＬＥＸＡＮシリーズＳＤ８Ｂ９４などが挙げられる。
【００８４】
画像表示層１１の厚さも、上述した各基材と同様の理由から、５０μｍ以上４００μｍ以下であることが好ましく、７５μｍ以上１００μｍ以下であることがより好ましい。
【００８５】
［画像部］
表面画像部２１、裏面画像部２２、および、基材画像部２３は、個人認証媒体１０に所定の情報を与えるために、任意の色みを有し、また、文字や絵柄などのパターンを有している。
【００８６】
各画像部は、例えばインキを用いて形成される。各画像部を形成するためのインキには、印刷方法に応じて、オフセットインキ、活版インキ、および、グラビアインキなどを用いることができ、組成の違いに応じて、例えば、樹脂インキ、油性インキ、および、水性インキを用いることができる。また、各画像部を形成するためのインキには、乾燥方式の違いに応じて、例えば、酸化重合型インキ、浸透乾燥型インキ、蒸発乾燥型インキ、および、紫外線硬化型インキを用いることができる。
【００８７】
また、各画像部を形成するインキには、個人認証媒体１０に対する光の入射角度、または、個人認証媒体１０を観察する角度に応じて色が変わる機能性インキを用いることができる。機能性インキには、例えば、光学的変化インキ（Ｏｐｔｉｃａｌ  Ｖａｒｉａｂｌｅ  Ｉｎｋ）、カラーシフトインキ、および、パールインキなどが挙げられる。
【００８８】
なお、トナーを用いた電子写真法によって各画像部を形成することもできる。電子写真法によって各画像部を形成するときには、帯電性を有したプラスチック粒子に黒鉛および顔料などの色粒子を付着させたトナーを準備し、帯電による静電気を利用して、トナーを被印刷体に転写させる。そして、トナーが転写された被印刷体を加熱することによって、被印刷体にトナーを定着させる。これにより、上述した各基材や画像表示層１１に各画像部を形成することができる。
【００８９】
［支持層］
表面回折部１２を形成するための転写箔５０が備える支持層５１、および、裏面回折部１３を形成するための転写箔が備える支持層は、以下の材料を用いて形成することができる。
【００９０】
支持層には樹脂製のフィルムを用いることができ、フィルムの形成材料には、例えば、ＰＥＴ、ＰＥＮ、および、ＰＰなどを用いることができる。フィルムの形成材料は、支持層上に回折層が形成されるときに、支持層にかかる熱や支持層が接する溶剤によって、支持層の変形や変質が起こりにくい材料であることが好ましい。なお、支持層には、紙、合成紙、プラスチック複層紙、および、樹脂含浸紙などを用いることもできる。
【００９１】
支持層の厚さは４μｍ以上であることが好ましく、１２μｍ以上５０μｍ以下であることがより好ましい。支持層の厚さが４μｍ以上であることによって、支持層が取り扱いやすい程度に支持層の物理的な強度が高まる。
【００９２】
［回折層］
表面回折部１２における回折層３１が備える透過部３１ａ、および、裏面回折部１３が備える回折層４１の各々は、以下の材料を用いて形成することができる。
【００９３】
透過部３１ａおよび回折層４１の形成材料には、例えば、熱可塑性樹脂および熱硬化性樹脂を用いることができる。熱可塑性樹脂には、例えば、アクリル系樹脂、エポキシ系樹脂、セルロース系樹脂、および、ビニル系樹脂などが挙げられる。熱硬化性樹脂には、例えば、ウレタン樹脂、メラミン系樹脂、エポキシ樹脂、および、フェノール系樹脂などが挙げられる。
【００９４】
透過部３１ａおよび回折層４１の形成材料には、フォトポリマーを用いることもできる。フォトポリマーには、エチレン性不飽和結合またはエチレン性不飽和基を持つモノマー、オリゴマー、および、ポリマーなどが挙げられる。このうち、モノマーには、例えば、１，６‐ヘキサンジオール、ネオペンチルグリコールジアクリレート、トリメチロールプロパントリアクリレート、ペンタエリスリトールトリアクリレート、ペンタエリスリトールテトラアクリレート、ジペンタエリスリトールペンタアクリレート、および、ジペンタエリスリトールヘキサアクリレートなどが挙げられる。オリゴマーには、エポキシアクリレート、ウレタンアクリレート、および、ポリエステルアクリレートなどが挙げられる。ポリマーには、ウレタン変性アクリル樹脂、および、エポキシ変性アクリル樹脂が挙げられる。なお、透過部３１ａおよび回折層４１の形成材料には、上述した以外のフォトポリマーを用いることも可能である。
【００９５】
［接着層］
表面回折部１２が備える接着層３２、および、裏面回折部１３が備える接着層４２の各々は、以下に記載の材料を用いて形成することができる。
【００９６】
接着層３２，４２は、例えば、ポリエステル樹脂、ウレタン樹脂、アクリル樹脂、および、塩化ビニル樹脂などを主成分とする接着剤によって形成される。接着層を形成するための接着剤には、接着性付与剤、充填剤、軟化剤、熱光安定剤、および、酸化防止剤などを配合することができる。
【００９７】
接着性付与剤には、ロジン系樹脂、テルペンフェノール樹脂、テルペン樹脂、芳香族炭化水素変性テルペン樹脂、石油樹脂、クマロン・インデン樹脂、スチレン系樹脂、フェノール系樹脂、および、キシレン樹脂などが挙げられる。充填剤には、亜鉛華、酸化チタン、シリカ、炭酸カルシウム、および、硫酸バリウムなどが挙げられる。軟化剤には、プロセスオイル、液状ゴム、および、可塑剤などが挙げられる。熱光安定剤には、ベンゾフェノン系、ベンゾトリアゾール系、および、ヒンダードアミン系などが挙げられ、酸化防止剤には、アニリド系、フェノール系、ホスファイト系、および、チオエステル系などが挙げられる。
【００９８】
接着層３２，４２の厚さは、例えば０．１μｍ以上１０μｍ以下であり、１μｍ以上５μｍ以下であることが好ましい。
【００９９】
［実施例］
個人認証媒体の実施例を説明する。
個人認証媒体を製造する前に、表面回折部を形成するための転写箔と、裏面回折部を形成するための転写箔とを準備した。表面回折部を形成するための転写箔を形成するときには、支持層として２５μｍの厚さを有したＰＥＴフィルム（ルミラー２５Ｔ６０、東レ（株）製）（ルミラーは登録商標）を準備した。そして、ＰＥＴフィルムの１つの面に、マスクを用いた真空蒸着法によって２μｍの厚さを有したアルミニウム層を形成し、これにより隠蔽部を形成した。
【０１００】
次いで、以下の組成を有した回折層用インキを、ＰＥＴフィルムのなかで隠蔽部が形成された面にグラビア印刷法を用いて塗布することによって、２μｍの厚さを有した塗膜を形成した。そして、塗膜に含まれる溶剤を揮発させることによって塗膜から除去した後、塗膜のなかで支持層に接する面とは反対側の面に金属円筒板を押し当てることによって、ロール形成加工を行った。これにより、表面回折部を形成した。このとき、プレス圧力を２Ｋｇｆ／ｃｍ２に設定し、プレス温度を２４０℃に設定し、プレススピードを１０ｍ／ｍｉｎに設定した。
【０１０１】
回折層のうち、支持層に接する面とは反対側の面に、真空蒸着法によって透明な反射層として厚さが６００ÅであるＺｎＳ膜を形成した。次いで、透明な反射層のなかで、回折層に接する面とは反対側の面に、以下の組成を有した接着層用インキを塗布することによって、４μｍの厚さを有した塗膜を形成した。その後、塗膜に含まれる溶剤を揮発させることによって塗膜から除去することで接着層を形成した。これにより、表面回折部を含む転写箔を得た。
【０１０２】
また、隠蔽部を形成する工程以外は、表面回折部を含む転写箔を形成する方法と同じ方法によって、裏面回折部を含む転写箔を得た。
【０１０３】
［回折層用インキ］
高分子メタクリル（ＰＭＭＡ）樹脂      ２質量部
低粘性ニトロセルロース              １２質量部
シクロヘキサノン                    １０質量部
【０１０４】
［接着層用インキ］
ポリエステル樹脂                    ２０質量部
メチルエチルケトン                  ４０質量部
トルエン                            ５０質量部
【０１０５】
１００μｍの厚さを有した画像表示層（ＬＥＸＡＮ  ＳＤ８Ｂ９４、ＳＡＢＩＣ（株）製）（ＬＥＸＡＮは登録商標）を準備し、画像表示層の表面にホットスタンプ転写機を用いて表面回折部を転写し、画像表示層の裏面に裏面回折部を転写した。このとき、転写温度を１２０℃に設定し、転写時間を１秒間に設定した。
【０１０６】
４００μｍの厚さを有した第１基材（ＬＥＸＡＮ  ＳＤ８Ｂ２４、ＳＡＢＩＣ（株）製）、２００μｍの厚さを有した第２基材（ＬＥＸＡＮ  ＳＤ８Ｂ１４、ＳＡＢＩＣ（株）製）、および、１００μｍの厚さを有した第３基材（ＬＥＸＡＮ  ＳＤ８Ｂ１４、ＳＡＢＩＣ（株）製）を準備した。そして、第１基材の表面に黒色のインキを用いて基材画像部を形成し、第２基材の表面に黒色のインキを用いて裏面画像部を形成し、画像表示層の表面に黒色のインキを用いて表面画像部を形成した。
【０１０７】
次いで、第１基材、第２基材、画像表示層、および、第３基材を記載の順に積み重ね、これらに熱圧を加えてラミネートし、カード状に整形することによって表面回折部と裏面回折部とを内部に含む積層体を得た。
【０１０８】
１０６４ｎｍの波長を有したレーザー光線を出力するファイバーレーザー型のレーザー照射装置を用いて、積層体が有する画像表示層に対して、第３基材が位置する側からレーザー光線を照射した。これにより、画像表示層の内部に表示部を形成し、実施例の個人認証媒体を得た。
【０１０９】
個人認証媒体の表面と対向する平面視において、第１画像要素、第２画像要素、および、第３画像要素が互いに重なり、これらによって所有者の上半身像を含む特定用画像が形成されることが認められた。また、個人認証媒体の裏面から所有者の上半身像である第１画像要素を取り除こうとすると、第１画像要素が取り除かれることに加えて、第３画像要素も消失することが認められた。
【０１１０】
以上説明したように、個人認証媒体の一実施形態によれば、以下に列挙する効果を得ることができる。
（１）画像表示層１１の表面１１Ｆおよび裏面１１Ｒにそれぞれ回折部が位置するため、画像表示層１１のうち、表示部１１ａが形成された部位のみを取り除くことが難しい。さらには、第１画像要素ＰＩＣ１、第２画像要素ＰＩＣ２、および、第３画像要素ＰＩＣ３が１つの特定用画像ＰＩＣを形成するため、偽の画像表示層に対する表面回折部１２および裏面回折部１３の位置を合わせなければ、偽の個人認証媒体によって、真正の個人認証媒体１０が表示する特定用画像ＰＩＣと同じ画像を表示させることが難しい。それゆえに、こうした個人認証媒体１０によれば、個人認証媒体１０の偽造を抑えることができる。
【０１１１】
（２）個人認証媒体１０の厚さ方向において、顔画像が一対の回折部によって挟まれるため、個人認証媒体１０の有する顔画像を他の顔画像にすり替えることが難しい。それゆえに、個人認証媒体１０の偽造を抑えることができる。
【０１１２】
（３）偽の特定用文字列を真正の特定用文字列に似せて形成するためには、画像表示層１１の表面１１Ｆと対向する平面視において特定用文字列を形成する各文字の位置を合わせるだけでなく、個人認証媒体１０の厚さ方向においても各文字の位置を合わせる必要がある。それゆえに、特定用文字列を形成する全ての文字が同一の面上に位置する構成よりも、特定用文字列の偽造が難しく、ひいては、個人認証媒体１０の偽造を抑えることができる。
【０１１３】
（４）個人認証媒体１０の観察者には、裏面回折格子４１ａが形成する基本画像ＰＩＣＢの一部である第３画像要素ＰＩＣ３のみが視認される。そのため、個人認証媒体１０が偽造された場合には、観察時に視認が可能な第３画像要素ＰＩＣ３のみを形成する回折格子のみが偽造される可能性が高い。それゆえに、個人認証媒体１０の表面１０Ｆと対向する平面視において、裏面回折部１３が第３画像要素ＰＩＣ３よりも大きい基本画像ＰＩＣＢを形成することが可能な構成であるか否かによって、真正の個人認証媒体１０であるか否かを判別することが可能にもなる。
【０１１４】
なお、上述した実施形態は、以下のように適宜変更して実施することができる。
・図１０が示すように、個人認証媒体７０が備える画像表示層１１は、第２表示部１１ｂを備えてもよい。第２表示部１１ｂは、レーザー光線ＬＢの照射によって画像表示層１１にて発色した部分であり、かつ、画像表示層１１の厚さ方向において、表面画像部２１と裏面画像部２２との両方に重ならず、かつ、少なくとも１つの文字を含んでいる。第２表示部１１ｂは、画像表示層１１の厚さ方向において、基材画像部２３にも重ならない。上述したように、表面画像部２１と裏面画像部２２とはインキによって形成されている。観察側から個人認証媒体７０が観察されたとき、表面画像部２１、裏面画像部２２、および、第２表示部１１ｂが、特定用文字列に含まれる。
【０１１５】
第２表示部１１ｂは、画像表示層１１の表面１１Ｆに露出し、画像表示層１１の厚さ方向において、裏面１１Ｒよりも表面１１Ｆ寄りの部位まで延びている。第２表示部１１ｂは、画像表示層１１の裏面１１Ｒに露出し、画像表示層１１の厚さ方向において、表面１１Ｆよりも裏面１１Ｒ寄りの部位まで延びていてもよい。また、第２表示部１１ｂは、画像表示層１１の表面１１Ｆおよび裏面１１Ｒの両方に露出するように、画像表示層１１の厚さ方向の全体に位置してもよい。
【０１１６】
こうした構成によれば、以下に記載の効果を得ることができる。
（５）１つの特定用文字列が、互いに異なる形成材料によって形成された文字を含むため、個人認証媒体７０が有する特定用文字列を偽造するためには、特定用文字列に互いに異なる形成材料によって形成された文字を含めることが必要である。それゆえに、特定文字列が単一の形成材料によって形成される構成と比べて、特定用文字列の偽造に工数や時間が掛かる分だけ、個人認証媒体７０の偽造を抑えることができる。
【０１１７】
・表面画像部２１および裏面画像部２２は、図１１を参照して以下に説明する構成であってもよい。なお、図１１では、裏面回折部１３を含む第２基材１５と、第３基材１６との図示が省略されている。
【０１１８】
図１１が示すように、個人認証媒体８０において、第１文字１Ｃ、第２文字２Ｃ、および、第３文字３Ｃの各々は、特定用文字の一例であり、特定用文字列に含まれて、個人認証媒体８０の所有者を特定するための情報を含んでいる。
【０１１９】
表面画像部２１は、表面要素２ＣＦを含み、表面要素２ＣＦは、画像表示層１１の表面１１Ｆのなかで、表面回折部１２が位置する部位とは異なる部位に位置し、所有者を特定するための情報に含まれる１つの特定用文字の一部である。裏面画像部２２は、画像表示層１１の裏面１１Ｒのなかで、裏面回折部１３が位置する部位とは異なる部位であり、かつ、画像表示層１１の厚さ方向において表面画像部２１とは重ならない部位に位置し、特定用文字の他の一部である裏面要素２ＣＲを含んでいる。画像表示層１１に対して表面回折部１２が位置する側から個人認証媒体１０が観察されたとき、表面要素２ＣＦと裏面要素２ＣＲとが、特定用文字を形成する。
【０１２０】
例えば、第２文字列ＣＨＡ２を構成する第２文字２Ｃのなかで、特定用文字の１つである「Ｔ」の一部が表面要素２ＣＦであり、「Ｔ」の他の一部が裏面要素２ＣＲである。また、第２文字２Ｃのなかで、特定用文字の１つである「Ａ」の一部が表面要素２ＣＦであり、「Ａ」の他の一部が裏面要素２ＣＲである。また、第２文字２Ｃのなかで、特定用文字の１つである「Ｋ」の一部が表面要素２ＣＦであり、他の一部が裏面要素２ＣＲである。特定用文字のなかで、表面要素２ＣＦと裏面要素２ＣＲとは、観察側から個人認証媒体８０が観察されたときに互いに連なる部位である。
【０１２１】
こうした構成によれば、以下に記載の効果を得ることができる。
（６）偽の特定用文字を真正の特定用文字に似せて形成するためには、画像表示層１１の表面１１Ｆと対向する平面視において表面要素２ＣＦと裏面要素２ＣＲとの位置を合わせるだけでなく、画像表示層１１の厚さ方向においても各要素の位置を合わせる必要がある。それゆえに、特定用文字を形成する全ての要素が同一の面上に位置する構成よりも、特定用文字の偽造が難しく、ひいては、個人認証媒体８０の偽造を抑えることができる。
【０１２２】
（７）画像表示層１１の表面１１Ｆと対向する平面視において、表面要素２ＣＦの位置に対する裏面要素２ＣＲの位置の精度が高くなければ、表面要素２ＣＦと裏面要素２ＣＲとの間に隙間が形成されたり、裏面要素２ＣＲの一部が表面要素２ＣＦの一部に重なることで、特定用文字の形状が所望とする形状からずれたりする。そのため、特定用文字が有する形状によって、特定用文字が偽造された文字であるか否かを判別することができる。
【０１２３】
なお、表面要素２ＣＦと裏面要素２ＣＲとは、特定用文字のなかで互いに連ならない部分であってもよい。こうした構成であっても、上述した（６）に準じた効果を得ることはできる。
【０１２４】
・裏面回折部１３が形成する基本画像ＰＩＣＢは、個人認証媒体１０の表面１０Ｆと対向する平面視において、隠蔽部３１ｂの内側に位置することが可能な大きさであってもよい。この場合には、基本画像ＰＩＣＢの全体が、第３画像要素ＰＩＣ３である。こうした構成であっても、第１画像要素ＰＩＣ１、第２画像要素ＰＩＣ２、および、第３画像要素ＰＩＣ３の重なりによって１つの特定用画像ＰＩＣが形成される以上は、上述した（１）に準じた効果を得ることはできる。
【０１２５】
・表面回折部１２は隠蔽部３１ｂを備えていなくてもよく、こうした構成であっても、第１画像要素ＰＩＣ１、第２画像要素ＰＩＣ２、および、第３画像要素ＰＩＣ３の重なりによって１つの特定用画像ＰＩＣが形成される以上は、上述した（１）に準じた効果を得ることはできる。
【０１２６】
・特定用文字列の一例である第１文字列ＣＨＡ１、第２文字列ＣＨＡ２、および、第３文字列ＣＨＡ３の少なくとも１つにおいて、各文字列を構成する全ての文字が、同一の平面上に位置してもよい。具体的には、１つの特定用文字列を構成する全ての文字が、画像表示層１１の表面１１Ｆ、画像表示層１１の裏面１１Ｒ、および、第２基材１５の裏面１５Ｒのいずれかに位置してもよい。こうした構成であっても、第１画像要素ＰＩＣ１、第２画像要素ＰＩＣ２、および、第３画像要素ＰＩＣ３の重なりによって１つの特定用画像ＰＩＣが形成される以上は、上述した（１）に準じた効果を得ることはできる。
【０１２７】
・表面画像部２１、裏面画像部２２、および、基材画像部２３の少なくとも１つは、文字列に加えて、あるいは、文字列に代えて、所定の記号、図形、および、絵柄から構成されてもよい。こうした記号、図形、および、絵柄は、個人認証媒体１０の所有者を特定するための情報を含んでもよいし、含んでいなくてもよい。
【０１２８】
・表示部１１ａによって表示される第１画像要素ＰＩＣ１は、個人認証媒体１０の所有者の顔画像を含んでいなくてもよい。第１画像要素ＰＩＣ１は、文字、数字、記号、図形、および、絵柄の少なくとも１つであってもよい。こうした構成であっても、第１画像要素ＰＩＣ１、第２画像要素ＰＩＣ２、および、第３画像要素ＰＩＣ３の重なりによって１つの特定用画像ＰＩＣが形成される以上は、上述した（１）に準じた効果を得ることはできる。
【０１２９】
・第１画像要素ＰＩＣ１、第２画像要素ＰＩＣ２、および、第３画像要素ＰＩＣ３のなかで、少なくとも１つの画像要素が、個人認証媒体１０の所有者を特定するための情報を含んでいればよく、また、所有者を特定するための情報は第１画像要素ＰＩＣ１が含んでいなくてもよい。こうした構成であっても、第１画像要素ＰＩＣ１、第２画像要素ＰＩＣ２、および、第３画像要素ＰＩＣ３の重なりによって１つの特定用画像ＰＩＣが形成される以上は、上述した（１）に準じた効果を得ることはできる。
【０１３０】
・第１画像要素ＰＩＣ１を表示する表示部１１ａは、画像表示層１１の発色によって形成された部分でなくてもよい。表示部は、例えば、上述した表面画像部２１、裏面画像部２２、および、基材画像部２３と同様、インキやトナーによって形成されてもよい。この場合には、画像表示層１１は、レーザー光線の照射によって発色する特性を有しなくてよく、また、表示部は、第１基材１４、第２基材１５、画像表示層１１、および、第３基材１６をラミネートする前に、画像表示層に形成されればよい。
【符号の説明】
【０１３１】
１０，７０，８０…個人認証媒体、１０Ｆ，１１Ｆ，１４Ｆ，１５Ｆ，１６Ｆ…表面、１０Ｒ，１１Ｒ，１４Ｒ，１５Ｒ，１６Ｒ，３１Ｒ，４１Ｒ…裏面、１１…画像表示層、１１ａ…表示部、１１ｂ…第２表示部、１２…表面回折部、１２ａ，３１ａ…透過部、１２ｂ，３１ｂ…隠蔽部、１３…裏面回折部、１４…第１基材、１５…第２基材、１６…第３基材、２１…表面画像部、２２…裏面画像部、２３…基材画像部、３１，４１…回折層、３１ｃ…表面回折格子、３２，４２…接着層、４１ａ…裏面回折格子、５０…転写箔、５１…支持層、６１…照射装置、ＰＩＣ…特定用画像、ＣＨＡ１…第１文字列、ＣＨＡ２…第２文字列、ＣＨＡ３…第３文字列、ＣＨＡ４…第４文字列、ＣＨＡ５…第５文字列、ＰＩＣ１…第１画像要素、ＰＩＣ２…第２画像要素、ＰＩＣ３…第３画像要素、ＰＩＣＢ…基本画像、１Ｃ…第１文字、２Ｃ…第２文字、２ＣＦ…表面要素、２ＣＲ…裏面要素、３Ｃ…第３文字、４Ｃ…第４文字、５Ｃ…第５文字。
【図１】
2018176593.tif 000003
【図２】
2018176593.tif 000004
【図３】
2018176593.tif 000005
【図４】
2018176593.tif 000006
【図５】
2018176593.tif 000007
【図６】
2018176593.tif 000008
【図７】
2018176593.tif 000009
【図８】
2018176593.tif 000010
【図９】
2018176593.tif 000011
【図１０】
2018176593.tif 000012
【図１１】
2018176593.tif 000013